(57)【要約】【課題】電極を含まない超音波式表面弾性波方式のタッチパネルを使用することにより界面反射を抑制して、視認性を向上させたタッチパネル一体型情報表示装置を提供する。【解決手段】情報を表示する表示装置１２と、表示装置１２に情報を入力するタッチパネル１３とを一体配置して成るタッチパネル一体型情報表示装置１１において、タッチパネル１３として、超音波式表面弾性波方式のタッチパネルを使用するとともに、タッチパネル１３および表示装置１２間に、所定膜厚の粘着剤層（または空隙）１５を形成することにより界面反射を確実に抑制して、コントラストを向上させるようにした。【選択図】図３
2007310537.tif 000002
【特許請求の範囲】
【請求項１】
情報を表示する表示装置と、前記表示装置に情報を入力するタッチパネルとを一体配置して成るタッチパネル一体型情報表示装置であって、
前記タッチパネルとして、超音波式表面弾性波方式のタッチパネルを用いたことを特徴とするタッチパネル一体型情報表示装置。
【請求項２】
前記タッチパネルおよび前記表示装置間に、所定膜厚の粘着剤層を形成したことを特徴とする請求項１に記載のタッチパネル一体型情報表示装置。
【請求項３】
前記タッチパネルおよび前記表示装置間に、所定厚さの空隙を形成したことを特徴とする請求項１に記載のタッチパネル一体型情報表示装置。
【請求項４】
前記情報を表示する表示装置を構成する情報表示用パネルが、少なくとも一方が透明な対向する２枚の基板の間に、帯電性を有する表示用有色粒子から成る表示媒体を封入し、基板内に発生させた電界により表示媒体を移動させて画像等の情報を表示するようにしたものであることを特徴とする請求項１〜３の何れか１項に記載のタッチパネル一体型情報表示装置。
【発明の詳細な説明】
【技術分野】
【０００１】
本発明は、情報を表示する表示装置と、前記表示装置に情報を入力するタッチパネルとを備えるタッチパネル一体型情報表示装置に関するものである。
【背景技術】
【０００２】
タッチパネル一体型情報表示装置の従来例としては、例えば図５に示すように、表示装置５１と、抵抗膜式タッチパネル５２とを一体配置したものがある。上記抵抗膜式タッチパネル５２は、フィルム（例えば高分子フィルム）より成る上部基板５３と、上部基板５３に形成された上部透明電極５４と、図示しない下部基板に形成された下部透明電極５５と、上部透明電極５４および下部透明電極５５間に配置されるスペーサ５６と、上部基板５４上に積層されたハードコート５７等から成る（例えば特許文献１参照）。
【特許文献１】特開２００４−４５５１８号公報
【発明の開示】
【発明が解決しようとする課題】
【０００３】
上記従来例のタッチパネル一体型情報表示装置に用いられている抵抗膜式タッチパネルは、電極界面の反射が大きいため、表示装置の前面に抵抗膜式タッチパネルを一体積層して構成したタッチパネル一体型情報表示装置は、タッチパネルの光透過率が著しく減少するため、視認性の悪化を招いてしまう。
【０００４】
本発明は、電極を含まない構成の超音波式表面弾性波方式のタッチパネルを使用することにより界面反射を抑制して、視認性を向上させたタッチパネル一体型情報表示装置を提供することを目的とする。
【課題を解決するための手段】
【０００５】
上記目的を達成するため、本発明のタッチパネル一体型情報表示装置は、情報を表示する表示装置と、前記表示装置に情報を入力するタッチパネルとを一体配置して成るタッチパネル一体型情報表示装置であって、前記タッチパネルとして、超音波式表面弾性波方式のタッチパネルを用いたことを特徴とする。
【０００６】
本発明のタッチパネル一体型情報表示装置の好適例としては、前記タッチパネルおよび前記表示装置間に、所定膜厚の粘着剤層を形成したこと、前記タッチパネルおよび前記表示装置間に、所定厚さの空隙を形成したこと、および、  前記情報を表示する表示装置を構成する情報表示用パネルが、少なくとも一方が透明な対向する２枚の基板の間に、帯電性を有する表示用有色粒子から成る表示媒体を封入し、基板内に発生させた電界により表示媒体を移動させて画像等の情報を表示するようにしたものであること、がある。
【発明の効果】
【０００７】
上記構成の本発明のタッチパネル一体型情報表示装置によれば、情報を表示する表示装置と、前記表示装置に情報を入力するタッチパネルとを一体配置して成るタッチパネル一体型情報表示装置におけるタッチパネルとして、電極を含まない構成の超音波式表面弾性波方式のタッチパネルを用いたから、電極界面の反射を抑制することができ、コントラストが向上する。したがって、視認性を向上させたタッチパネル一体型情報表示装置を提供することができる。
【発明を実施するための最良の形態】
【０００８】
以下、本発明を実施するための最良の形態を図面に基づき詳細に説明する。
【０００９】
図１は本発明のタッチパネル一体型情報表示装置の使用例を示す図である。本発明のタッチパネル一体型情報表示装置１１は、情報を表示する表示装置１２と、情報を入力するタッチパネル１３とを備え、表示装置１２の前面にタッチパネル１３が一体配置されている。
上記表示装置１２としては、少なくとも一方が透明な対向する２枚の基板の間に、帯電性を有する表示用有色粒子から成る表示媒体を封入し、基板内に発生させた電界により表示媒体を移動させて画像等の情報を表示するようにした、後述する走査電極毎に順次アドレスされるパッシブ駆動もしくはアクティブ駆動される帯電粒子駆動型の情報表示用パネルが好適に用いられる。上記タッチパネル１３としては、位置検出機能および書込入力機能を有する光透過性を有するものを用いることができ、本発明では、電極を含まない構成の超音波式表面弾性波方式のタッチパネルを用いている。
【００１０】
次に、本発明のタッチパネル一体型情報表示装置で表示装置に例えば用いる帯電粒子駆動型の情報表示用パネルの構成の一例について説明する。この帯電粒子駆動型の情報表示用パネルは、それぞれ異なる帯電特性を有する２色の表示用有色粒子で構成される２色の表示媒体を、少なくとも一方が透明な基板間の隔壁によって仕切られた複数のセル内に封入する構造を有している。２枚の基板間に封入した表示媒体に電界が付与されると、付与された電界方向に沿って、帯電した表示媒体が電界による力やクーロン力などによって引き寄せられ、表示媒体が電界方向の変化によって移動方向を変えることにより、情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１１】
本発明のタッチパネル一体型情報表示装置で表示装置に例えば用いる情報表示用パネルの原理的構成を図２（ａ），（ｂ）に基づき説明する。
図２（ａ）に示す例では、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図２（ａ）に示す例では、基板１、２の間に例えば格子状に隔壁４を設けセルを形成している。また、図２（ａ）において、手前にある隔壁は省略している。電極は、基板の外側に設けても、基板内部に埋め込むように設けてもよい。
図２（ｂ）に示す例では、少なくとも１種以上の粒子から構成される光学的反射率および帯電性を有する１種の表示媒体３（ここでは白色表示媒体用粒子３Ｗａの粒子群からなる白色表示媒体３Ｗを示す）を、基板１に設けた電極５と基板２に設けた電極６との間に電圧を印加することにより発生する電界に応じて、基板１、２と平行方向に移動させ、白色表示媒体３Ｗを観察者に視認させて白色の表示を行うか、あるいは、電極６または基板１の色を観察者に視認させて電極６または基板１の色の表示を行っている。なお、図２（ｂ）に示す例では、基板１、２の間に例えば格子状の隔壁４を設けセルを形成している。また、図２（ｂ）において、手前にある隔壁は省略している。基板の電極は、基板の外側に設けても、基板内部に埋め込むように設けてもよい。
【００１２】
次に、本発明のタッチパネル一体型情報表示装置の構成例を図３に基づき説明する。
【００１３】
図３は本発明のタッチパネル一体型情報表示装置の構成例１における基本的な構成を示す図である。本発明のタッチパネル一体型情報表示装置におけるタッチパネルは、例えば帯電粒子駆動型の情報表示用パネルと組み合わせて構成する場合の反射防止対策を施したものである。
【００１４】
すなわち、構成例１のタッチパネル一体型情報表示装置では、タッチパネル１３として超音波式表面弾性波方式のタッチパネルを用いており、タッチパネル１３の最表面の両端部にはそれぞれ、トランスデューサ１４が設けられている。また、上記タッチパネル１３は、表示装置１２の表示面側透明基板６上に、所定膜厚の粘着剤層１５を介して結合されている。なお、上記所定膜厚の粘着剤層１５の代わりに、同一厚さの空隙を形成して、その空隙を介して、表示装置１２の表示面側透明基板６上に、タッチパネル１３を結合するようにしてもよい。
【００１５】
本発明のタッチパネル一体型情報表示装置によれば、表示装置１２およびタッチパネル１３を一体配置して成るタッチパネル一体型情報表示装置において、（ａ）タッチパネル１３として、電極を含まない構成の超音波式表面弾性波方式のタッチパネルを使用したこと、（ｂ）表示装置１２の表示面側透明基板６とタッチパネル１３との間に、所定膜厚の粘着剤層１５または、同一厚さの空隙を介在させたこと、の２つの反射防止対策により、電極界面の反射を確実に抑制できるようになる。したがって、コントラストが向上するので、視認性を向上させたタッチパネル一体型情報表示装置となる。
【００１６】
以下、本発明のタッチパネル一体型情報表示装置で表示装置に例えば用いる帯電粒子駆動型情報表示用パネルを構成する各部材について説明する。
【００１７】
基板については、表示面側基板はパネル外側から表示媒体の色が確認できる透明な基板であり、可視光の透過率が高くかつ耐熱性の良い材料が好適である。背面側基板は透明でも不透明でもかまわない。上記基板としては、ガラスやセラミックス等の無機系基板や、ポリエチレンテレフタレート（ＰＥＴ）、ポリエチレンテレナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系基板を用いることが可能である。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００１８】
基板に設ける電極の電極形成材料としては、アルミニウム、銀、ニッケル、銅、金等の金属類や酸化インジウム錫（ＩＴＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００１９】
基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図４に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法もこの発明のタッチパネル一体型情報表示装置に表示装置として搭載する情報表示用パネルに好適に用いることができるが、これらのうち、レジストフィルムを用いるフォトリソ法や金型転写法が好適に用いられる。
【００２０】
次に、本発明で表示装置に例えば用いる帯電粒子駆動型情報表示用パネルにおいて表示媒体を構成する表示用有色粒子（以下、粒子ともいう）について説明する。表示用有色粒子は、そのまま該表示用有色粒子だけで構成して表示媒体としたり、その他の粒子と合わせて構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００２１】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００２２】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００２３】
着色剤としては、以下に例示するような、有機または無機の各種、各色の顔料、染料が使用可能である。
【００２４】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００２５】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００２６】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００２７】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。その他、上記した添加剤を複数組合せて本発明で用いる表示媒体を構成する表示用白色粒子や表示用黒色粒子を作製することができる。このうち、表示用白色粒子には酸化チタンなどの白色顔料を用いることが好ましく、表示用黒色粒子にはカーボンブラックなどの黒色顔料を用いることが好ましい。
上記着色剤を配合して所望の色の表示用有色粒子を作製できる。
【００２８】
また、本発明で用いる表示用有色粒子（以下、粒子ともいう）は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００２９】
さらに本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００３０】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００３１】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００３２】
さらに、表示用有色粒子で構成する表示媒体を気中空間で駆動する乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図２（ａ），（ｂ）、図３において、対向する基板１、基板２に挟まれる部分から、電極５、６（電極を基板の内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００３３】
本発明で表示装置に用いる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
本発明に用いる表示装置を構成する表示用パネルは上記帯電粒子駆動型表示用パネルに限定されず、液晶型、電気泳動型、回転ボール型等の表示用パネルを好適に用いることができる。
【実施例】
【００３４】
以下、本発明の実施例および比較例を示して、本発明をさらに具体的に説明するが、本発明は下記実施例に限定されるものではない。
【００３５】
＜比較例１＞
図５に示すように、帯電粒子駆動型の表示装置５１の表示面側透明基板上に、抵抗膜式のタッチパネル５２を一体配置して、比較例１のタッチパネル一体型情報表示装置を作製した。
この比較例１のタッチパネル一体型情報表示装置にて白色ベタ画像表示を行ったときの白反射率を測定したところ、１６％であった。
【００３６】
＜実施例１＞
図３に示すように、帯電粒子駆動型の表示装置１２の表示面側透明基板６上に、膜厚５μｍの粘着剤層１５を介して、電極を含まない構成の超音波式表面弾性波方式のタッチパネル１３を一体配置して、実施例１のタッチパネル一体型情報表示装置を作製した。
この実施例１のタッチパネル一体型情報表示装置にて白色ベタ画像表示を行ったときの白反射率を測定したところ、２１％であった。比較例１に比べて白反射率が向上していることが確認できた。
【００３７】
＜実施例２＞
図３に示すように、帯電粒子駆動型の表示装置１２の表示面側透明基板６上に、膜厚５０μｍの粘着剤層１５を介して、電極を含まない構成の超音波式表面弾性波方式のタッチパネル１３を一体配置して、実施例２のタッチパネル一体型情報表示装置を作製した。
この実施例２のタッチパネル一体型情報表示装置にて白色ベタ画像表示を行ったときの白反射率を測定したところ、２１％であった。比較例１に比べて白反射率が向上していることが確認できた。
【００３８】
＜実施例３＞
図３に示すように、帯電粒子駆動型の表示装置１２の表示面側透明基板６上に、膜厚１００μｍの粘着剤層１５を介して、電極を含まない構成の超音波式表面弾性波方式のタッチパネル１３を一体配置して、実施例３のタッチパネル一体型情報表示装置を作製した。
この実施例３のタッチパネル一体型情報表示装置にて白色ベタ画像表示を行ったときの白反射率を測定したところ、２１％であった。比較例１に比べて白反射率が向上していることが確認できた。
【００３９】
＜実施例４＞
図３に示すように、帯電粒子駆動型の表示装置１２の表示面側透明基板６上に、厚さ５μｍの空隙１５を介して、電極を含まない構成の超音波式表面弾性波方式のタッチパネル１３を一体配置して、実施例４のタッチパネル一体型情報表示装置を作製した。
この実施例４のタッチパネル一体型情報表示装置にて白色ベタ画像表示を行ったときの白反射率を測定したところ、２０％であった。比較例１に比べて白反射率が向上していることが確認できた。
【００４０】
＜実施例５＞
図３に示すように、帯電粒子駆動型の表示装置１２の表示面側透明基板６上に、厚さ５０μｍの空隙１５を介して、電極を含まない構成の超音波式表面弾性波方式のタッチパネル１３を一体配置して、実施例５のタッチパネル一体型情報表示装置を作製した。
この実施例５のタッチパネル一体型情報表示装置にて白色ベタ画像表示を行ったときの白反射率を測定したところ、２０％であった。比較例１に比べて白反射率が向上していることが確認できた。
【００４１】
＜実施例６＞
図３に示すように、帯電粒子駆動型の表示装置１２の表示面側透明基板６上に、厚さ１００μｍの空隙１５を介して、電極を含まない構成の超音波式表面弾性波方式のタッチパネル１３を一体配置して、実施例６のタッチパネル一体型情報表示装置を作製した。
この実施例６のタッチパネル一体型情報表示装置にて白色ベタ画像表示を行ったときの白反射率を測定したところ、２０％であった。比較例１に比べて白反射率が向上していることが確認できた。
【産業上の利用可能性】
【００４２】
本発明のタッチパネル一体型情報表示装置は、情報表示画面にタッチパネルを介した入力で情報を書き込み表示できる情報表示装置や、書き込んだ表示情報を電源ＯＦＦにした状態でも表示させておくことができる情報表示装置として、ノートパソコン、電子手帳、ＰＤＡ（Personal Digital Assistants ）と呼ばれる携帯型情報機器、携帯電話、ハンディターミナル等のモバイル機器の表示部、電子ブック、電子新聞等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部に好適に用いられる。
なお、本発明に係る情報表示用パネルの駆動方式については、パネル自体にスイッチング素子を用いない単純マトリックス駆動型表示用パネルやスタティック駆動型表示用パネル、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動型表示用パネルなど、種々のタイプの情報表示用パネルを用いることができる。
【図面の簡単な説明】
【００４３】
【図１】本発明のタッチパネル一体型情報表示装置の使用例を示す図である。
【図２】（ａ），（ｂ）はそれぞれ、本発明で表示装置に用いる情報表示用パネルの原理的構成を示す図である。
【図３】本発明のタッチパネル一体型情報表示装置の１つの構成例を示す図である。
【図４】本発明で表示装置に例えば用いる帯電粒子駆動型情報表示用パネルにおける隔壁の形状の一例を示す図である。
【図５】従来例のタッチパネル一体型情報表示装置の構成を説明するための図である。
【符号の説明】
【００４４】
１  基板（背面側基板）
２  基板（表示面側透明基板）
３  表示媒体（粒子群）
３Ｗ  白色表示媒体
３Ｂ  黒色表示媒体
３Ｗａ  表示用白色粒子
３Ｂａ  表示用黒色粒子
４  隔壁
５  電極
６  透明電極
１１  タッチパネル一体型情報表示装置
１２  表示装置（情報表示用パネル）
１３  超音波式表面弾性波方式のタッチパネル
１４  トランスデューサ
１５  粘着剤層（または空隙）
【図１】
2007310537.tif 000003
【図２】
2007310537.tif 000004
【図３】
2007310537.tif 000005
【図４】
2007310537.tif 000006
【図５】
2007310537.tif 000007